(57)【要約】      （修正有）【課題】高速伝達を行う基板対基板コネクタを提供する。【解決手段】メス端部１０”及びオス端部３０”を含む、基板対基板コネクタであって、メス端部は第一回路板と接続し、オス端部は第二回路板と接続する。メス端部は第一ハウジング１２、第一信号端子１４、第一負極１６及び第一正極１８を含む。オス端部は第二ハウジング３２、第二信号端子３４、第二負極３６及び第二正極３８を含む。第二接地極は第二回路板の接地端と電気的接続する。メス端部とオス端部を接続させる際、電気的接続の順序に基づき、第一負極と第二負極が電気的接続することから始まり、第一正極と第二正極が電気的接続し、そして第一信号端子と第二信号端子が電気的接続する。【選択図】図６
0003226451.tif 000002
【実用新案登録請求の範囲】
【請求項１】
第一回路板と第二回路板を接続させる、高速伝達を行う基板対基板コネクタであり、メス端部及びオス端部を含み、
前記メス端部が第一ハウジング、複数の第一信号端子、第一負極及び第一正極を含み、
前記第一ハウジングが第一容置空間を形成し、前記第一ハウジングが第一係合パーツと第一導引パーツを含み、前記第一係合パーツが前記第一ハウジングの両側に設置され、前記第一導引パーツが前記第一容置空間に形成され、
複数の前記第一信号端子の一端が前記第一容置空間に設置され、複数の前記第一信号端子のもう一方の一端が前記第一回路板に接続され、
前記第一負極の一端が前記第一容置空間に設置され、且つ複数の前記第一信号端子の側に設置され、前記第一負極のもう一方の一端が前記第一回路板に接続され、
前記第一正極の一端が前記第一容置空間に設置され、且つ複数の前記第一信号端子の前記側またはもう一方の側に設置され、前記第一正極のもう一方の一端が前記第一回路板に接続され、
前記オス端部が第二ハウジング、複数の第二信号端子、第二負極及び第二正極を含み、
前記第二ハウジングが第二容置空間を形成し、前記第二ハウジングが第二係合パーツと第二導引パーツを含み、前記第二係合パーツが前記第二ハウジングの両側に設置され、前記第二導引パーツが前記第二容置空間に形成され、
複数の前記第二信号端子の一端が前記第二容置空間に設置され、且つ前記第二導引パーツに設置され、複数の前記第二信号端子のもう一方の一端が前記第二回路板に接続され、
前記第二負極の一端が前記第二容置空間に設置され、且つ複数の前記第二信号端子の側に設置され、そして前記第二導引パーツに設置され、前記第二負極のもう一方の一端が前記第二回路板に接続され、
前記第二正極の一端が前記第二容置空間に設置され、且つ複数の前記第二信号端子の前記側またはもう一方の側に設置され、そして前記第二導引パーツに設置され、前記第二正極のもう一方の一端が前記第二回路板に接続され、
そのうち、前記メス端部と前記オス端部を接続させる際、電気的接続の順序に基づき、前記第一負極と前記第二負極が電気的接続することから始まり、前記第一正極と前記第二正極が電気的接続し、そして複数の前記第一信号端子と複数の前記第二信号端子が電気的接続することを特徴とする、高速伝達を行う基板対基板コネクタ。
【請求項２】
更に第一固定パーツ及び第二固定パーツを含み、前記第一固定パーツが前記第一ハウジングの側に形成されることで前記メス端部が前記第一回路板に固定され、前記第二固定パーツが前記第二ハウジングの側に形成されることで前記オス端部が前記第二回路板に固定されることを特徴とする、請求項１に記載の高速伝達を行う基板対基板コネクタ。
【請求項３】
前記第一負極及び前記第一正極の電極の幅がそれぞれの前記第一信号端子の幅より小さくなく、前記第二負極及び前記第二正極の電極の幅がそれぞれの前記第二信号端子の幅より小さくないことを特徴とする、請求項２に記載の高速伝達を行う基板対基板コネクタ。
【請求項４】
前記メス端部が更に第一接地極を含み、前記第一接地極の一端が前記第一係合パーツに設置され、前記第一接地極のもう一方の一端が前記第一回路板の接地端に接続され、前記オス端部が更に第二接地極を含み、前記第二接地極の一端が前記第二係合パーツに設置され、前記第二接地極のもう一方の一端が前記第二回路板の接地端に接続され、
そのうち、前記メス端部と前記オス端部を接続させる際、電気的接続の順序に基づき、前記第一負極と前記第二負極が電気的接続することから始まり、前記第一正極と前記第二正極が電気的接続し、前記第一接地極と前記第二接地極が電気的接続し、そして複数の前記第一信号端子と複数の前記第二信号端子が電気的接続することを特徴とする、請求項１に記載の高速伝達を行う基板対基板コネクタ。
【請求項５】
前記第一係合パーツが更に第一接地端、第一係合端及び凸塊を含み、前記第一接地端が前記第一回路板の接地端に接続され、前記凸塊が前記第一係合端に設置されることを特徴とする、請求項４に記載の高速伝達を行う基板対基板コネクタ。
【請求項６】
前記第二係合パーツが更に第二接地端、第二係合端及び凹槽を含み、前記第二接地端が前記第二回路板の接地端に接続され、前記凹槽が前記第二係合端に形成されることを特徴とする、請求項５に記載の高速伝達を行う基板対基板コネクタ。
【請求項７】
前記第一係合パーツと前記第二係合パーツを接続並びに結合させる際、前記凸塊が前記凹槽に滑入されることで前記第一係合パーツが前記第二係合パーツに固定されることを特徴とする、請求項６に記載の高速伝達を行う基板対基板コネクタ。
【請求項８】
前記第一係合パーツ及び前記第二係合パーツ各自がその接地端を有し、前記第一係合パーツ及び前記第二係合パーツが結合する際、前記第一係合パーツの接地端及び前記第二係合パーツの接地端が結合することを特徴とする、請求項１に記載の高速伝達を行う基板対基板コネクタ。
【請求項９】
前記第一負極の長さが前記第一正極の長さより大きく、前記第一正極の長さが前記第一接地極の長さより大きく、前記第一接地極が複数の前記第一信号端子それぞれの長さより小さくなく、前記第二負極の長さが前記第二正極の長さより大きく、前記第二正極の長さが前記第二接地極の長さより大きく、前記第二接地極が複数の前記第二信号端子それぞれの長さより小さくないことを特徴とする、請求項６に記載の高速伝達を行う基板対基板コネクタ。
【請求項１０】
前記第一負極と前記第一正極とが互いに隣接して設置され、且つ前記第一負極または前記第一正極が前記第一係合パーツまたは前記第二係合パーツに近接することを特徴とする、請求項１に記載の高速伝達を行う基板対基板コネクタ。
【請求項１１】
更に仕切り板を含み、前記仕切り板がそれぞれ前記第一容置空間及び前記第二容置空間に設置され、前記仕切り板が前記第一正極、前記第一負極及び前記第一信号端子の隔離に、そして前記第二正極、前記第二負極及び前記二信号端子の隔離に用いられることを特徴とする、請求項１に記載の高速伝達を行う基板対基板コネクタ。
【考案の詳細な説明】
【技術分野】
【０００１】
本考案はコネクタの技術分野に属し、特に、高速でデータ伝達を行うことができる基板対基板コネクタである。
【背景技術】
【０００２】
従来より、二つのプリント回路板はコネクタを通じて接続されることで、二つのプリント回路板間での信号伝達を行う。
【０００３】
しかし、コネクタが高速でデータ伝達を行う際、電源が信号線に近接することから、信号線のデータが電場や磁場等による妨害を受けやすく、データ伝達のミスが起こることがある。特に活線挿抜を行う状況下では、信号及び電極を挿入する順序によってデータ伝送エラーが起こりやすい。
【０００４】
これに鑑み、本考案は高速伝達を行う基板対基板コネクタを提供し、従来のコネクタが抱える問題を解決する。
【考案の概要】
【考案が解決しようとする課題】
【０００５】
本考案の一つ目の目的は、第一回路板と第二回路板を接続させる、高速伝達を行う基板対基板コネクタを提供することである。
【０００６】
本考案の第二の目的は、前述の高速伝達を行う基板対基板コネクタを通じ、異なる長さの信号端子、負極及び正極を設置することで、メス端部及びオス端部を結合させる過程において、信号端子、負極、正極の電気的接続を完了することで、安定した信号レベルを達成し、ノイズによる妨害を防止することである。
【０００７】
本考案の第三の目的は、前述の高速伝達を行う基板対基板コネクタを通じ、信号端子、負極及び正極が同一の槽体に設置され、且つ負極及び正極をそれぞれ信号端子の両側に設置できる、または負極及び正極を信号端子と同じ側に設置できることである。
【０００８】
本考案の第四の目的は、高速伝達を行う基板対基板コネクタを提供し、第一回路板の地線と第二回路板の地線がそれぞれ、メス端部の接地極とオス端部の接地極を通じて相互に接続し、その後接地極の構造を通じて結合されることで固定の目的を達成でき、そして第一回路板の地線と第二回路板の地線がそれぞれ、メス端部の接地極とオス端部の接地極を通じて相互に接続することで、独立及び共同の接地を達成することである。
【０００９】
本考案の第五の目的は、高速伝達を行う基板対基板コネクタを提供し、異なる長さの信号端子、負極、正極及び第一接地極の設置に基づいて、メス端部及びオス端部を結合させる過程において、信号端子、負極、正極の電気的接続を完了することで、安定した信号レベルを達成し、ノイズによる妨害を防止することである。
【００１０】
本考案の第六の目的は、高速伝達を行う基板対基板コネクタを提供し、これにより信号端子及び電源電極(例えば正極、負極及び接地等)の配置を行い、信号端子を一エリアに集中させ、電源電極を一エリアに集中させることである。
【課題を解決するための手段】
【００１１】
上述の目的及び他の目的を達成するために、本考案は第一回路板と第二回路板を接続させる、高速伝達を行う基板対基板コネクタを提供する。高速伝達を行う基板対基板コネクタはメス端部及びオス端部を含む。メス端部は第一ハウジング、複数の第一信号端子、第一負極、第一正極及び第一接地極を含む。第一ハウジングは第一容置空間を形成する。第一ハウジングは第一係合パーツと第一導引パーツを含む。第一係合パーツは第一ハウジングの両側に設置され、第一導引パーツは第一容置空間に形成される。複数の第一信号端子それぞれの一端は第一容置空間に設置され、もう一方の一端は第一回路板に接続できる。第一負極の一端は第一容置空間に設置され、且つ複数の第一信号端子の側に設置され、もう一方の一端は第一回路板に接続できる。第一正極の一端は第一容置空間に設置され、且つ複数の第一信号端子の前記側またはもう一方の側に設置され、もう一方の一端は第一回路板に接続できる。オス端部は第二ハウジング、複数の第二信号端子、第二負極、第二正極及び第二接地極を含む。第二ハウジングは第二容置空間を形成する。第二ハウジングは第二係合パーツと第二導引パーツを含む。第二係合パーツは第二ハウジングの両側に設置される。第二導引パーツは第二容置空間に形成される。複数の第二信号端子それぞれの一端は第二容置空間に設置され、且つ第二導引パーツに設置され、もう一方の一端は第二回路板に接続できる。第二負極の一端は第二容置空間に設置され、且つ複数の第二信号端子の側に設置され、更に第二導引パーツに設置され、もう一方の一端は第二回路板に接続できる。第二正極の一端が第二容置空間に設置され、且つ複数の第二信号端子の前記側またはもう一方の側に設置され、更に第二導引パーツに設置され、もう一方の一端は第二回路板に接続できる。メス端部とオス端部を接続させる際、電気的接続の順序に基づき、第一負極と第二負極が電気的接続することから始まり、第一正極と第二正極が電気的接続し、そして複数の第一信号端子と複数の第二信号端子が電気的接続する。
【００１２】
従来技術と比較して、本考案により提供される高速伝達を行う基板対基板コネクタは、オス端部がメス端部と結合する際に、例えば負極、正極、接地極、信号の順序といった特定の接続順序を通じて電気的接続を行い、信号伝達の正確性、及び高速／高周波数下の妨害防止といった効果を達成することができる。
【００１３】
本考案の他の実施例において、オス端部及びメス端部側辺の係合パーツがそれぞれ各自板体の地線と接続することで、オス端部とメス端部が共同で複数の前記板体の地線と接続することができ、同時に係合パーツによってオス端部とメス端部を結合させてコネクタの脱落を防止することができる。
【図面の簡単な説明】
【００１４】
【図１】本考案の第一実施例における高速伝達を行う基板対基板コネクタのメス端部の構造図である。
【図２】本考案の図１における第一係合パーツの詳細な図である。
【図３】本考案の第一実施例における高速伝達を行う基板対基板コネクタのオス端部の構造図である。
【図４】本考案の図３における第二係合パーツの詳細な構造図である。
【図５】本考案の第二実施例における高速伝達を行う基板対基板コネクタの構造図である。
【図６】本考案の第三実施例における高速伝達を行う基板対基板コネクタの構造図である。
【考案を実施するための形態】
【００１５】
本考案の目的、特徴及び効果についての理解に資するために、以下に述べる具体的な実施例を通じて、並びに付属の図面と合わせて、本考案の詳細な説明をする。
【００１６】
本考案の要素の個数は、特に記載がない場合を除き、一つまたは少なくとも一つであり、且つ複数である場合を含むことを理解されたい。
【００１７】
本考案における「含む」や「備える」またそれらに類似する用語は、被排他的な包括物を網羅していることを意味する。例えば、複数の要素を含むユニットや構造、製品、装置は、本文に記載される要素に限らず、明確な記載がないが当該ユニットや構造、製品、装置が通常有しうる他の要素を包括することも出来る。これ以外に、特に記載がない場合を除き、本文中の「または」という用語は包括的意味合いとして用いられ、排他的意味合いを具備しない。
【００１８】
図１及び図３、即ち本考案の第一実施例における高速伝達を行う基板対基板コネクタのメス端部及びオス端部の構造図を参照する。
【００１９】
高速伝達を行う基板対基板コネクタはメス端部１０及びオス端部３０を含む。図１が示すのは高速伝達を行う基板対基板コネクタのメス端部１０、図３が示すのは高速伝達を行う基板対基板コネクタのオス端部３０である。メス端部１０は第一回路板（図示していない）と接続され、オス端部３０は第二回路板（図示していない）と接続され、例えば第一回路板及び第二回路板はプリント回路板とすることができる。
【００２０】
図１を参照すると、メス端部１０は第一ハウジング１２、複数の第一信号端子１４、第一負極１６、第一正極１８及び第一接地極２０を含む。図１における上の図はメス端部の正面図であり、下の図はメス端部の背面図である。
【００２１】
第一ハウジング１２は第一容置空間ＦＳＰを形成する。又、第一ハウジング１２は第一係合パーツ１２２と第一導引パーツ１２４を含む。第一係合パーツ１２２は第一ハウジング１２の両側に設置され、第一導引パーツ１２４は第一容置空間ＦＳＰに形成される。
【００２２】
複数の第一信号端子１４それぞれの一端が第一容置空間ＦＳＰに設置され、もう一方の一端が第一回路板に接続されることで電子信号を伝達することができる。
【００２３】
第一負極１６の一端が第一容置空間ＦＳＰに設置され、且つ複数の第一信号端子１４の右側に設置され、もう一方の一端が第一回路板に接続されることで第一回路板の負電圧を受信することができる。
【００２４】
第一正極１８の一端が第一容置空間ＦＳＰに設置され、且つ複数の第一負端子１４の右側に設置され、もう一方の一端が第一回路板に接続されることで、第一回路板の正電圧を受信することができる。
【００２５】
これ以外に、各電極及び信号端子の長さの関係は以下となる。第一負極１６の長さは第一正極１８の長さより大きく、第一正極１８の長さは第一接地極２０の長さより大きく、第一接地極２０は複数の第一信号端子１４それぞれの長さより大きいか、または複数の第一信号端子１４それぞれの長さと同様である。
【００２６】
第一接地極２０の一端が第一係合パーツ１２２に設置され、もう一方の一端が前記第一回路板の接地端に接続されることで第一回路板の地線と接続することができる。合わせて図２、即ち本考案の図１における第一係合パーツの詳細な図を参照すると、図２では第一係合パーツ１２２が更に第一接地端１２２２、第一係合端１２２４及び凸塊１２２６を含むのが分かる。第一接地端１２２２は第一回路板の接地端に接続できる。凸塊１２２６は第一係合端１２２４に設置される。
【００２７】
他の実施例において、メス端部１０は更に第一固定パーツ１２６を含むことができ、この第一固定パーツ１２６が第一ハウジング１２の下側に形成されることでメス端部１０が第一回路板に固定される。その固定方法は係合、粘合、溶接等形式とすることができる。
【００２８】
他の実施例において、第一負極１６及び第一正極１８の幅はそれぞれの第一信号端子１４の幅より大きいか、またはそれぞれの第一信号端子１４の幅と同様である。
【００２９】
図３を参照すると、オス端部３０は第二ハウジング３２、複数の第二信号端子３４、第二負極３６、第二正極３８及び第二接地極４０を含む。図３における上の図はオス端部の正面図、下の図はオス端部の背面図である。
【００３０】
第二ハウジング３２は第二容置空間ＳＳＰを形成する。第二ハウジング３２は第二係合パーツ３２２と第二導引パーツ３２４を含む。第二係合パーツ３２２は第二ハウジング３２の両側に設置される。第二導引パーツ３２４は第二容置空間ＳＳＰに形成される。
【００３１】
複数の第二信号端子３４それぞれの一端が第二容置空間ＳＳＰに設置され、且つ第二導引パーツ３２４に設置され、もう一方の一端が第二回路板に接続されることで電子信号を伝達することができる。本考案の実施例において、第二導引パーツ３２４は凸体であり、且つその両側にリブ体３２４２を備える。凸体は前記第一容置空間ＦＳＰに挿入されるのに役立ち、端子と電極を相互に電気的接続させることができる。リブ体３２４２は第一導引パーツ１２４の凹槽構造に沿って導引されることで、メス端部１０とオス端部３０を接続させることができる。
【００３２】
第二負極３６の一端が第二容置空間ＳＳＰに設置され、且つ複数の第二信号端子３４の左側に設置され、更に第二導引パーツ３２４に設置され、もう一方の一端が第二回路板に接続されることで、第二回路板の負電圧を受信することができる。
【００３３】
第二正極３８の一端が第二容置空間ＳＳＰに設置され、且つ第二負端子の左側に設置され、更に第二導引パーツ３２４に設置され、もう一方の一端が前記第二回路板に接続されることで、第二回路板の正電圧を受信することができる。
【００３４】
第二接地極４０の一端が第二係合パーツ３２２に設置され、もう一方の一端を第二回路板の接地端に接続できる。第一接地極２０の一端が第一係合パーツ１２２に設置され、もう一方の一端が前記第一回路板の接地端に接続されることで第一回路板の地線と接続することができる。合わせて図４、即ち本考案の図３における第二係合パーツの詳細な図を参照すると、図４では第二係合パーツ３２２が更に第二接地端３２２２、第二係合端３２２４及び凹槽３２２６を含むのが分かる。第二接地端３２２２は第二回路板の接地端に接続できる。凹槽３２２６は第二係合端３２２４に設置される。凹槽３２２６の位置は凸塊１２２６の位置に対応して設置される。他の実施例において、凹槽３２２６と凸塊１２２６の位置は交換して設置することもできる。どのような設置方式であろうと、第一係合パーツ１２２と第二係合パーツ３２２を接続並びに結合させる際、凸塊１２２６が凹槽３２２６に滑入されることで第一係合パーツ１２２が第二係合パーツ３２２に固定されることが求められる。
【００３５】
又、第二負極３６及び第二正極３８の電極の幅はそれぞれの第二信号端子３４の幅より大きいか、またはそれぞれの第二信号端子３４の幅と同様である。
【００３６】
これ以外に、各電極及び信号端子の長さの関係は以下となる。第二負極３６の長さは第二正極３８の長さより大きく、第二正極３８の長さは第二接地極４０の長さより大きく、第二接地極４０は複数の第二信号端子３４それぞれの長さより大きいか、または複数の第二信号端子３４それぞれの長さと同様である。
【００３７】
他の実施例において、オス端部３０は更に第二固定パーツ３２６を含み、この第二固定パーツ３２６が第二ハウジング３２の下側に形成されることでオス端部３０が第二回路板に固定される。その固定方法は係合、粘合、溶接等形式とすることができる。
【００３８】
メス端部１０とオス端部３０を接続させる際、電気的接続の順序に基づき、第一負極１６と第二負極３６が電気的接続することから始まり、第一正極１８と第二正極３８が電気的接続し、第一接地極２０と第二接地極４０が電気的接続、そして複数の第一信号端子１４と複数の第二信号端子３４が電気的接続するようになる。
【００３９】
他の実施例においては更に仕切り板（図示していない）を含み、この仕切り板はそれぞれ第一容置空間ＦＳＰ及び第二容置空間ＳＳＰに設置される。仕切り板は第一正極１８、第一負極１６及び第一信号端子１４の隔離に、そして第二正極３８、第二負極３６及び二信号端子３４の隔離に用いられる。
【００４０】
図５、即ち本考案の第二実施例における高速伝達を行う基板対基板コネクタの構造図を参照する。図５において、高速伝達を行う基板対基板コネクタはメス端部１０’及びオス端部３０’を含む。ここでのメス端部１０’の第一実施例と異なる部分は、メス端部１０’の第一負極１６及び第一正極１８はそれぞれが第一信号端子１４の両側に設置される点であり、これ以外の部品に関する説明は第一実施例と同様であるため詳述しない。
【００４１】
同様に、オス端部３０’の第二負極３６及び第二正極３８はそれぞれが第二信号端子３４の両側に設置される。
【００４２】
他の実施例においては更に仕切り板（図示していない）を含み、この仕切り板はそれぞれ第一容置空間ＦＳＰ及び第二容置空間ＳＳＰに設置される。仕切り板は第一正極１８、第一負極１６及び第一信号端子１４の隔離に、そして第二正極３８、第二負極３６及び第二信号端子３４の隔離に用いられる。
【００４３】
図６、即ち本考案の第三実施例における高速伝達を行う基板対基板コネクタの構造図を参照する。図６において、高速伝達を行う基板対基板コネクタはメス端部１０”及びオス端部３０”を含む。ここでのメス端部１０”の第二実施例と異なる部分は、メス端部１０’の第一負極１６及び第一正極１８はそれぞれが第一信号端子１４の両側に設置され、且つメス端部１０”は第一接地端１２２２を有さない点であり、これ以外の部品に関する説明は第一実施例と同様であるため詳述しない。
【００４４】
同様に、オス端部３０”の第二負極３６及び第二正極３８はそれぞれが第二信号端子３４の両側に設置され、且つオス端部３０”は第二接地端３２２２を有さない。
【００４５】
以上に本考案の好ましい実施例を説明したが、その目的は当業者の本考案の内容に対する理解に資する事であり、本考案を制限するものではない。考案は当業者であれば諸般の修飾が可能であるが、そのいずれも本考案の範囲を脱せず、いずれも後付の実用新案登録請求の範囲の保護範囲に含まれる。
【符号の説明】
【００４６】
１０、１０’、１０”  メス端部
１２      第一ハウジング
１２２    第一係合パーツ
１２２２  第一接地端
１２２４  第一係合端
１２２６  凸塊
１２４    第一導引パーツ
１２６    第一固定パーツ
１４      第一信号端子
１６      第一負極
１８      第一正極
２０      第一接地極
３０、３０’、３０”  オス端部
３２      第二ハウジング
３４      第二信号端子
３６      第二負極
３８      第二正極
３２２    第二係合パーツ
３２２２  第二接地端
３２２４  第二係合端
３２２６  凹槽
３２４    第二導引パーツ
３２４２  リブ体
３２６    第二固定パーツ
４０      第二接地極
ＦＳＰ    第一容置空間
ＳＳＰ    第二容置空間?
【図１】
0003226451.tif 000003
【図２】
0003226451.tif 000004
【図３】
0003226451.tif 000005
【図４】
0003226451.tif 000006
【図５】
0003226451.tif 000007
【図６】
0003226451.tif 000008
【手続補正書】
【提出日】令和2年3月18日(2020.3.18)
【手続補正１】
【補正対象書類名】実用新案登録請求の範囲
【補正対象項目名】全文
【補正方法】変更
【補正の内容】
【実用新案登録請求の範囲】
【請求項１】
第一回路板と第二回路板を接続させる、高速伝達を行う基板対基板コネクタであり、メス端部及びオス端部を含み、
前記メス端部が第一ハウジング、複数の第一信号端子、第一負極及び第一正極を含み、
前記第一ハウジングが第一容置空間を形成し、前記第一ハウジングが第一係合パーツと第一導引パーツを含み、前記第一係合パーツが前記第一ハウジングの両側に設置され、前記第一導引パーツが前記第一容置空間に形成され、
複数の前記第一信号端子の一端が前記第一容置空間に設置され、複数の前記第一信号端子のもう一方の一端が前記第一回路板に接続され、
前記第一負極の一端が前記第一容置空間に設置され、且つ複数の前記第一信号端子の側に設置され、前記第一負極のもう一方の一端が前記第一回路板に接続され、
前記第一正極の一端が前記第一容置空間に設置され、且つ複数の前記第一信号端子の前記側またはもう一方の側に設置され、前記第一正極のもう一方の一端が前記第一回路板に接続され、
前記オス端部が第二ハウジング、複数の第二信号端子、第二負極及び第二正極を含み、
前記第二ハウジングが第二容置空間を形成し、前記第二ハウジングが第二係合パーツと第二導引パーツを含み、前記第二係合パーツが前記第二ハウジングの両側に設置され、前記第二導引パーツが前記第二容置空間に形成され、
複数の前記第二信号端子の一端が前記第二容置空間に設置され、且つ前記第二導引パーツに設置され、複数の前記第二信号端子のもう一方の一端が前記第二回路板に接続され、
前記第二負極の一端が前記第二容置空間に設置され、且つ複数の前記第二信号端子の側に設置され、そして前記第二導引パーツに設置され、前記第二負極のもう一方の一端が前記第二回路板に接続され、
前記第二正極の一端が前記第二容置空間に設置され、且つ複数の前記第二信号端子の前記側またはもう一方の側に設置され、そして前記第二導引パーツに設置され、前記第二正極のもう一方の一端が前記第二回路板に接続され、
そのうち、前記メス端部と前記オス端部を接続させる際、電気的接続の順序に基づき、前記第一負極と前記第二負極が電気的接続することから始まり、前記第一正極と前記第二正極が電気的接続し、そして複数の前記第一信号端子と複数の前記第二信号端子が電気的接続することを特徴とする、高速伝達を行う基板対基板コネクタ。
【請求項２】
更に第一固定パーツ及び第二固定パーツを含み、前記第一固定パーツが前記第一ハウジングの側に形成されることで前記メス端部が前記第一回路板に固定され、前記第二固定パーツが前記第二ハウジングの側に形成されることで前記オス端部が前記第二回路板に固定されることを特徴とする、請求項１に記載の高速伝達を行う基板対基板コネクタ。
【請求項３】
前記第一負極及び前記第一正極の電極の幅がそれぞれの前記第一信号端子の幅より小さくなく、前記第二負極及び前記第二正極の電極の幅がそれぞれの前記第二信号端子の幅より小さくないことを特徴とする、請求項２に記載の高速伝達を行う基板対基板コネクタ。
【請求項４】
前記メス端部が更に第一接地極を含み、前記第一接地極の一端が前記第一係合パーツに設置され、前記第一接地極のもう一方の一端が前記第一回路板の接地端に接続され、前記オス端部が更に第二接地極を含み、前記第二接地極の一端が前記第二係合パーツに設置され、前記第二接地極のもう一方の一端が前記第二回路板の接地端に接続され、
そのうち、前記メス端部と前記オス端部を接続させる際、電気的接続の順序に基づき、前記第一負極と前記第二負極が電気的接続することから始まり、前記第一正極と前記第二正極が電気的接続し、前記第一接地極と前記第二接地極が電気的接続し、そして複数の前記第一信号端子と複数の前記第二信号端子が電気的接続することを特徴とする、請求項１に記載の高速伝達を行う基板対基板コネクタ。
【請求項５】
前記第一係合パーツが更に第一接地端、第一係合端及び凸塊を含み、前記第一接地端が前記第一回路板の接地端に接続され、前記凸塊が前記第一係合端に設置されることを特徴とする、請求項４に記載の高速伝達を行う基板対基板コネクタ。
【請求項６】
前記第二係合パーツが更に第二接地端、第二係合端及び凹槽を含み、前記第二接地端が前記第二回路板の接地端に接続され、前記凹槽が前記第二係合端に形成されることを特徴とする、請求項５に記載の高速伝達を行う基板対基板コネクタ。
【請求項７】
前記第一係合パーツと前記第二係合パーツを接続並びに結合させる際、前記凸塊が前記凹槽に滑入されることで前記第一係合パーツが前記第二係合パーツに固定されることを特徴とする、請求項６に記載の高速伝達を行う基板対基板コネクタ。
【請求項８】
前記第一係合パーツ及び前記第二係合パーツ各自がその接地端を有し、前記第一係合パーツ及び前記第二係合パーツが結合する際、前記第一係合パーツの接地端及び前記第二係合パーツの接地端が結合することを特徴とする、請求項１に記載の高速伝達を行う基板対基板コネクタ。
【請求項９】
前記第一負極の長さが前記第一正極の長さより大きく、前記第一正極の長さが前記第一接地極の長さより大きく、前記第一接地極が複数の前記第一信号端子それぞれの長さより小さくなく、前記第二負極の長さが前記第二正極の長さより大きく、前記第二正極の長さが前記第二接地極の長さより大きく、前記第二接地極が複数の前記第二信号端子それぞれの長さより小さくないことを特徴とする、請求項６に記載の高速伝達を行う基板対基板コネクタ。
【請求項１０】
前記第一負極と前記第一正極とが互いに隣接して設置され、且つ前記第一負極または前記第一正極が前記第一係合パーツまたは前記第二係合パーツに近接することを特徴とする、請求項１に記載の高速伝達を行う基板対基板コネクタ。
【請求項１１】
更に仕切り板を含み、前記仕切り板がそれぞれ前記第一容置空間及び前記第二容置空間に設置され、前記仕切り板が前記第一正極、前記第一負極及び前記第一信号端子の隔離に、そして前記第二正極、前記第二負極及び前記第二信号端子の隔離に用いられることを特徴とする、請求項１に記載の高速伝達を行う基板対基板コネクタ。